(57)【要約】      （修正有）【課題】２本のセパレータを接続するに際し、１本のセパレータの端部に取り付けたセパレータ接続金具の穴の中に他方のセパレータを挿入し、位置あわせの終わった後ナットを回して他方のセパレータを固定する、セパレータ軸を接続する金具を提供する。【解決手段】セパレータ接続金具本体１の一方端部に雌ネジ部を設けた固定部を設け、一本のセパレータ軸を基本セパレータ軸５１とし、Ｕ字型壁際７の貫通孔内１０に挿し通して、孔奥の雌ネジ部に基本セパレータ軸５１の雄ネジ部１２を螺合して固定する。次に調整セパレータ軸６１を、セパレータ接続金具１の貫通孔内１０の基本セパレータ軸５１の側面に基本セパレータ軸５１の逆方向から挿入し、１本だけをスライドして全長の位置を決定し、六角ナット３１を回すことにより、正確な寸法に簡単に合わせられる。【選択図】図１
2012077596.tif 000002
【特許請求の範囲】
【請求項１】
セパレータ接続金具本体は、最初から鉄板を設計図の展開図通りにカットされて、カットされた鉄板に下穴、上穴、開口部を最初から設計図通りに機械でカットされた鉄板を、長手方向の中央部を、Ｕ字型壁に折り曲げて、折り曲げた内部を空洞にして２枚に重ね、重なった鉄板の端部の鉄板と鉄板の間に、凹凸が固定された凹凸幅止め固定部材を入れて凹を内部の中央に向けて、図３の様にして、電気溶接で、上の鉄板と下の鉄板を凹凸幅止め固定部材に接着して固定、Ｕ字型壁の一方端の固定部は、３分の２の円形に折り曲げて固定、固定部の内部が雌ネジ部に固定、上穴の周囲の鉄板に貫通孔筒が固定、
以上、セパレータ接続金具本体が完成であり、
完成されたセパレータ接続金具本体の貫通孔に交差する方向の下穴から上穴に、締付軸移動部材の斜面部と突起と雄ネジ部の４項目名が一体型であり、一体型の雄ネジ部を、下穴から上穴に突き通して、貫通孔筒を突き抜いた雄ネジ部に、座金を通して、六角ナットの雌ネジ部を、雄ネジ部に螺合して軽く締めておくだけで、セパレータ接続金具の製品の１セットが終了であり、
以上、セパレータ接続金具で、セパレータ軸の接続については、接続する２本のセパレータ軸の内、先ず、１本を基本セパレータ軸として、１本のセパレータ軸をセパレータ接続金具のＵ字型壁際の貫通孔内に挿し通して、貫通孔のＵ字型壁際の奥に固定されてある雌ネジ部に、基本セパレータ軸の雄ネジ部を螺合すると、この場で基本セパレータ軸の一本が、確実に固定された事が特徴であり、
次に固定された基本セパレータ軸の長さを測り、目的の長さから、基本セパレータ軸の長さを差引いた残りの長さのセパレータ軸を、調整セパレータ軸として１本だけを、セパレータ接続金具の貫通孔に、基本セパレータ軸の逆方向から、基本セパレータ軸の側面に挿し通して、スライドして全長の寸法が位置したところで六角ナットを回すと、締付軸移動部材が、貫通孔と交差する方向に移動始め、移動部材の斜面部と突起で調整セパレータ軸の側面を押して基本セパレータ軸の側面に調整セパレータ軸の側面を接触して固定し、その時に起こる調整セパレータ軸の捩れは、捩れ止めで調整セパレータ軸の捩れを保護して、更に、六角ナットを強く回して締め付けると、貫通孔内で、更に斜面部と突起で、調整セパレータ軸の側面を強く押し付けるから、押し付ける反応で、基本セパレータ軸もＵ字型壁に強く挟まれて、双方から、基本セパレータ軸と調整セパレータ軸が、Ｕ字型壁と締付軸移動部材の斜面部と突起に強く挟まれて、双方のセパレータ軸の側面同士が強く密着してセパレータ軸方向の移動が硬く固定されて、双方のセパレータ軸も一つに強く固定したところが特徴とする、セパレータ軸を一つに固定する装置のセパレータ接続金具。
【発明の詳細な説明】
【技術分野】
【０００１】  本発明は、セパレータ接続金具であり、接続する２本のセパレータの内、一本だけを先に固定されてから、そのセパレータの側面に、残りのセパレータの側面を接触して接続固定する装置のものである。
【背景の技術】
【０００２】  従来のセパレータ接続金具は、殆どのセパレータ接続金具が、セパレータ接続金具の中に、接続する二本のセパレータを互い違いに向きを変えて同時に突き通して、２本共にスライドして、セパレータの両端の長さをメモリ尺で長さを測って、所望の長さに位置したところで、六角ナットを回して、セパレータとセパレータの側面の間にピンを割り込んで、セパレータ接続金具の内部壁の両側にピンで押し付けて、セパレータとセパレータの側面の間を広げて両側の壁に押し付けて固定されているから、接続中にセパレータ両端部の長さを測る事にしても、接続するセパレータの長さに応じて、一人で測れない事もある。
又は、接続されたセパレータが、双方から引張られる力によって、双方のセパレータが、捩れて総体のセパレータの長さが、伸びる事がある。
【発明の開示】
【発明が解決しようとする課題】
【０００３】  然しながら、従来のセパレータ接続金具では、どの種類のセパレータ接続金具を使用しても、セパレータの捩れを防ぎ、セパレータの接続中にセパレータの両端部の長さをメモリ尺で測り、セパレータを接続する作業時間を短縮する事は、中々難しい事である。
【課題を解決するための手段】
【０００４】  上記の目的を達するために本発明は、型枠の建て込みに使用されるセパレータの接続金具本体について、セパレータ接続金具本体（１）の鉄板の幅と長さを適切なサイズに切断して、切断された鉄板の長手方向の中央部から、Ｕ字型壁（７）に折り曲げて２枚に重なり、２枚に重なった鉄板の左端の鉄板と鉄板の間に、セパレータの外径寸法よりも、僅かの大きさ厚味程度の鉄板で加工された凹凸幅止め固定部材（２）を間に挟み込んで、上と下の鉄板を電気溶接で、凹凸幅止め固定部材に固定し、凹凸幅止め固定部材の凹（９）から、セパレータ接続金具本体の上下鉄板に締付軸移動部材（１１）を通す貫通孔を、下穴（４）と、上穴（３）に設けて固定、鉄板と鉄板の間は、貫通孔（１０）に設けて、上穴の周囲の鉄板（１）に貫通孔筒（４０）が固定、セパレータ接続金具本体の右側の鉄板が、Ｕ字型壁（７）に折曲がり、折曲がった鉄板の一方先端に固定部（５）を、別個に設けて固定され、セパレータの雄ネジ部（５２）の外形寸法よりも、鉄板の内部を小さく円周に折り曲げて、円周の３分の１程度をセパレータ接続金具の中央側を開口部に設けて、円周に折り曲げた鉄板の内部をセパレータ軸の雄ネジ部が、捻じ込まれる様に雌ネジ部（６）を固定してある。【０００５】  一つに固定されたセパレータ接続金具本体（１）の中央部の貫通孔の下穴（４）から上穴（３）に向けて、締付軸移動部材の雄ネジ部（１２）を突き通して貫通孔筒（４０）を貫通した締付軸移動部材（１１）の雄ネジ部（１２）に、座金（２１）を通して、六角ナット（３１）の雌ネジ部［３２］を、雄ネジ部（１２）に螺合してセットされてある。【０００６】以上の様な構造のセパレータ接続金具であるから、セパレータ軸を接続する事に於いては、先ず、接続する一本のセパレータ軸を、セパレータ接続金具の貫通孔（１０）のＵ字型壁（７）際に挿し通して、貫通孔の奥の雌ネジ部（６）にセパレータ軸の雄ネジ部（５２）を螺合して固定すると、この段階で、基本セパレータ軸の一本の長さが確実の長さに固定され、次に調整セパレータ軸の長さは、接続する目的の長さに不足される分の長さのセパレータ軸一本を調整セパレータ軸として、基本セパレータ軸の逆の方から、セパレータ接続金具の貫通孔（１０）内に交差する締付軸移動部材（１１）の窪み貫通孔（１３）内を挿し通して、調整セパレータ軸一本だけをスライドし全長の長さに位置したところで、六角ナット（３１）を回すと、締付軸移動部材（１１）が、セパレータ接続金具（１）の上穴（３）と下穴（４）の中で、貫通孔（１０）と交差する方向に移動始めて、窪み貫通孔（１３）も移動して斜面部（１５）の突起（１６）で調整セパレータ軸（６１）の側面を、基本セパレータ軸（５１）の側面に押し付けて、更に調整セパレータ軸と基本セパレータ軸が強くＵ字型壁（７）に押し付けられて、双方のセパレータ軸の側面同士が固定されて、その時、起きる調整セパレータ軸の捩れは、凹凸幅止め固定部材（２）の捩れ止め（１７）で、調整セパレータ軸が保護されて、調整セパレータ軸と基本セパレータ軸は、双方のセパレータ軸の側面同士が密着されて固く固定される。
【発明の効果】
【０００７】  本発明のセパレータ接続金具は、二本のセパレータ軸をセパレータ接続金具本体で接続する時は、接続する所望の長さに近いセパレータ軸を先ず、セパレータ接続金具の貫通孔のＵ字型壁際の貫通孔内に、１本のセパレータ軸を挿し通して、奥の雌ネジ部に、セパレータ軸の雄ネジ部を螺合して固定するだけで、基本セパレータ軸の１本の長さが確実の長さに固定され、固定された基本セパレータ軸の長さを測ってから、所望の長さに足りない長さ分だけのセパレータ軸を、調整セパレータ軸として１本だけを、基本セパレータ軸の逆方向から、セパレータ接続金具の中央寄りの貫通孔内挿し通して、移動部材の窪み貫通孔を貫通して、調整セパレータ軸一本だけを、スライドして、二本のセパレータの全長が位置した所で、六角ナットを回すと、締付軸移動部材が、セパレータ接続金具本体の貫通孔内で、貫通孔の交差する方向に移動始めて、窪み貫通孔も移動し、斜面部と突起で、調整セパレータ軸の側面を基本セパレータ軸の側面に押し付けて、六角ナットを更に強く回して締め付けると、基本セパレータ軸と調整セパレータ軸の側面が、固定軸移動部材の斜面部と突起で強く押し付けられるから、更に調整セパレータ軸と基本セパレータ軸は、Ｕ字型壁に強く押し付けられて、双方共にセパレータ軸の側面同士が密着して、軸方向の移動が強く固定されて、双方のセパレータ軸の側面が、一つに密着して固定される。【０００８】  前記の様な事であるから、本発明のセパレータ接続金具は、基本セパレータ軸と、調整セパレータ軸の２本のセパレータ軸を、一つにして接続する作業時間が、従来のセパレータ接続金具に比較すると、本発明のセパレータ接続金具の方が、従来のセパレータ接続金具の半分以下の作業時間で、２本のセパレータ軸を１本の確実の長さにして接続する事が可能であるからである。【０００９】  従来のセパレータ接続金具に対し、本発明のセパレータ接続金具は、２木のセパレータ軸を一本の長さに接続する事に於いては、先す、一本のセパレータ軸を基本セパレータ軸として、セパレータ接続金具の貫通孔内のＵ字型壁際に挿し通して、貫通孔の奥に雌ネジ部が固定されている中にセパレータ軸の雄ネジ部を螺合するだけで、基本セパレータ軸の長さが一定されて固定される。
次に、固定された基本セパレータ軸の長さを測って、全長の長さから、基本セパレータ軸の長さを差引いた残りの長さの分だけのセパレータ軸１本だけを調整セパレータ軸として、セパレータ接続金具の貫通孔に挿し通して、スライドして全長が位置した所で、六角ナットを回して固定し、更に強くまして、双方のセパレータ軸を強く固定するものである。
【図面の簡単な説明】
【００１０】
【図１】  図１は、セパレータ接続金具に基本セパレータ軸と調整セパレータ軸をセットしたところの一部切断面図である。
【図２】  図２は、セパレータ接続金具に基本セパレータ軸と調整セパレータ軸をセットして固定したところの断面図である。
【図３】  図３は、セパレータ接続金具本体を全開したところの片面であり、一部切断面図である。
【図４】  図４は、セパレータ接続金具本体の正面図である。
【図５】  図５は、セパレータ接続金具本体に基本セパレータ軸を螺合して固定し、調整セパレータ軸をスライドして、基本セパレータ軸の側面に固定したところの断面図である。
【図６】  図６は、基本セパレータ軸の側面図である。
【図７】  図７は、座金の平面図である。
【図８】  図８は、六角ナットの平面図である。
【図９】  図９は、貫通孔筒の斜視図である。
【図１０】  図１０は、締付軸移動部材の側面図である。
【図１１】  図１１は、凹凸幅止め固定部材の平面図である。
【図１２】  図１２は、凹凸幅止め固定部材の側面図である。
【発明を実施するための形態】
【００１１】  本発明の目的を達する為に、セパレータ接続金具本体の鉄板をＵ字型壁（７）に折り曲げて、セパレータ接続金具の内部に、強力なＵ字型壁（７）を設けた事に成功し、Ｕ字型壁（７）の強力な強度によって、基本セパレータ軸（５１）と、逆方向の）調整セパレータ（６１）の側面同士を接触させて、締付軸移動部材（１１）の斜面部（１５）で基本セパレータ軸と調整セパレータ軸の側面を押し付けると同時にＵ字型壁（７）に強力な圧力で双方のセパレータ軸が押し付けられて、双方のセパレータ軸共に、セパレータ軸の流れ方向の移動が、其の位置で硬く固定される。
【００１２】  上記の様な方法で、基本セパレータ軸の側面と、調整セパレータ軸の側面が接触された状態で、Ｕ字型壁に双方のセパレータ軸共が押し付けられて強く固定されるから、従来のセパレータ接続金具で、セパレータ軸を接続して固定されたら、固定されたセパレータ軸とセパレータ軸の間の側面の間隔が大きく空いて、接続されて固定されたセパレータ軸の両端部から、双方に強く引張ると、セパレータ接続金具が、捩れて多少の伸びが出ていたが、本発明のセパレータ接続金具の方は、全くセパレータ軸とセパレータ軸の側面の間の隙間が、全く開いてないから、接続されて固定されたセパレータ軸の両端部から、双方のセパレータ軸を強く引張っても、本発明のセパレータ接続金具は、捩れることが起きないものである。
【実施例】
【００１３】  以下、本発明の実施の形態の添付図面を参照して説明する。
図１は、セパレータ接続金具の正面図であり、鉄板（１）を縦横適切のサイズに切断してＵ字型壁（７）に折り曲げたセパレータ接続金具本体枠であり、このセパレータ接続金具本体枠を土台にして、全部の付属部品が固定と組み立てが行われる物である。
セパレータ接続金具本体（１）の内部は貫通孔（１０）のＵ字型壁（７）の奥に固定部（５）が設けられて、其の内部に雌ネジ部（６）が固定、左端の鉄板と鉄板の重なり間に幅止め固定部材（２）を挟んで、上下の鉄板を幅止め固定部材に電気溶接で固定、セパレータ接続金具本体（１）内部は空洞であり、鉄板上下の中央に、上穴（３）下穴（４）を設けて固定、上穴（３）の周囲に貫通孔筒（４０）が固定、  以上で、締付軸移動部材（１１）の雄ネジ部（１２）を下穴（４）から（３）上穴（３）に突き通して貫通孔筒（４０）を突き抜いて締付軸移動部材の雄ネジ部の突先が飛出ているところに、座金（２１）を通して、六角ナット（３１）の雌ネジ部（３２）を雄ネジ部（１２）に螺合してセットし、セパレータ接続金具本体のＵ字型壁（７）の際孔に基本セパレータ軸（５１）を挿し通して奥の雌ネジ部（６）に基本セパレータ軸の雄ネジ部を螺合して固定、次に調整セパレータ軸（６１）を基本セパレータ軸と逆方向から窪み貫通孔（１３）を通してセットされているところであり、締付固定をする前の段階の正面図である。【００１４】  図２は、一部除いて、図１と全く同じ内容の断面図であり、セパレータ接続金具本体のＵ字型壁（７）の方に基本セパレータ軸を挿し通して奥の雌ネジ部（６）に基本セパレータ軸（５１）の雄ネジ部（５２）を螺合して固定、次に調整セパレータ軸（６１）を基本セパレータ軸の逆方向から窪み貫通孔（１３）に挿し通して、六角ナット（３１）を回して締付軸移動部材（１１）は、一体であり、窪み貫通孔（１３）が移動されて斜面部（１５）で調整セパレータ軸（６１）の側面を押して基本セパレータ軸の側面に接触されて更に基本セパレータ軸と調整セパレータ軸をＵ字型壁（７）に、突起（１６）で強く押し付けるから、基本セパレータ軸と調整セパレータ軸は、其の位置で軸の流れ方向の移動が硬く固定されているところの断面図である。【００１５】  図３は、（１）は、セパレータ接続金具本体を開いたところの片面の内部の図であり、（０）は、開口部。（２）は、凹凸幅止め固定部材。（４）は、開口部下穴。（５）は、固定部。（６）は、雌ネジ部。（７）は、鉄板材をＵ字型壁に折り曲げた部分。（８）は、電気溶接の固定部分である。【００１６】  図４は、（１）セパレータ接続金具本体を正面から見た図であり、（０）は、開口部。（２）は、凹凸幅止め固定部材。（３）は、上穴。（４）は、下穴。（５）は、固定部。（６）は、雌ネジ部である。【００１７】  図５は、セパレータ接続金具本体（１）に、凹凸幅止め固定部材（２）が、電気溶接（８）で固定され、左上に、固定部（５）が設けられて内側に雌ネジ部（６）が固定、右上に、鉄板材をＵ字型壁（７）に折り曲げた部分であり、其の際に基本セパレータ軸（５１）の雄ネジ部（５２）が雌ネジ部（６）に螺合して固定、基本セパレータ軸の際に調整セパレータ軸（６１）が設置されて、調整セパレータ軸の側面に締付軸移動部材（１１）の突起（１６）で調整セパレータ軸の側面を押し付けて、基本セパレータ軸と共にＵ字型壁（７）に押し付けて双方のセパレータ軸共に固定しているところの平断面図である。【００１８】  セパレータ接続金具の各部の付属部品について、図６は、基本セパレータ又は、調整セパレータであり、（５１）は、基本セパレータ軸。（５２）は、雄ネジ部。（５３）は、ストッパ。（５４）は、ネックである。（６１）は、調整セパレータ軸である。
図７の（２１）は、座金である。
図８の（３１）は、六角ナット。（３２）は、雌ネジ部である。
図９の（４０）は、貫通孔筒である。
図１０の（１１）は、締付軸移動部材。（１２）は、雄ネジ部。（１３）は、窪み貫通孔。（１５）は、斜面部。（１６）は、突起である。
図１１の（２）は、凹凸幅止め固定部材。（９）は、凹。（１７）は、捩れ止め。
図１２の（２）は、凹凸幅止め固定部材であり、部材の鉄材の厚味を表した物である。【００１９】  セパレータ接続金具本体（１）の製作方法は、最初から鉄板を設計図の展開図通りにカットされて、カットされた鉄板に下穴（４）、上穴（３）、開口部（５）を最初から設計図通に機械でカットされた鉄板を、長手方向の中央部を、Ｕ字型壁（７）に折り曲げて、折り曲げた内部を空洞にして２枚に重ね、重なった鉄板の端部の鉄板と鉄板の間に、凹（９）が固定された凹凸幅止め固定部材（２）を入れて凹（９）を内部の中央に向けて、図３の様にして、電気溶接で、上の鉄板と下の鉄板を凹凸幅止め固定部材（２）に接着して固定、Ｕ字型壁（７）の一方端の固定部（５）は、３分の２の円形に折り曲げて固定、固定部（５）の内部が雌ネジ部（６）に固定、上穴（３）の周囲の鉄板に貫通孔筒（４０）が固定、以上でセパレータ接続金具本体が完成であり、
完成されたセパレータ接続金具本体（１）の貫通孔（１０）に交差する方向の下穴（４）から上穴（３）に、締付軸移動部材（１１）の斜面部（１５）と突起（１６）と雄ネジ部（１２）の４項目名が一体型であり、一体型の雄ネジ部（１２）を、下穴（４）から上穴（３）に突き通して、貫通孔筒（４０）を突き抜いた雄ネジ部（１２）に、座金（２１）を通して、六角ナット（３１）の雌ネジ部（３２）を、雄ネジ部（１２）に螺合して軽く締めておくだけで、セパレータ接続金具の製品の１セットが終了であり、
以上、セパレータ接続金具で、セパレータ軸の接続については、接続する２本のセパレータ軸の内、先ず、１本のセパレータ軸を基本セパレータ軸（５１）として、１本のセパレータ軸をセパレータ接続金具（１）のＵ字型壁（７）際の貫通孔（１０）内に挿し通して、貫通孔（１０）のＵ字型壁（７）際の奥に固定されてある雌ネジ部（６）に、基本セパレータ軸（５１）の雄ネジ部（５２）を螺合すると、この場で基本セパレータ（５１）の１本が、確実に固定されたことが特徴であり、
次に固定された基本セパレータ軸（５１）の長さを測り、目的の長さから、基本セパレータ軸（５１）の長さを差引いた残りの長さのセパレータ軸を、調整セパレータ軸（６１）として１本だけを、セパレータ接続金具（１）の貫通孔（１０）に、基本セパレータ軸の逆方向から、基本セパレータ軸（５１）の側面に挿し通して、スライドして全長の寸法に位置したところで六角ナット（３１）を回すと、締付軸移動部材（１１）が、貫通孔（１０）と交差する方向に移動始め、移動部材（１１）の斜面部（１５）と突起（１６）で調整セパレータ軸（６１）の側面を押して基本セパレータ軸（５１）の側面に調整セパレータ軸（６１）の側面を接触して固定し、その時に起こる調整セパレータ軸の捩れは、捩れ止め（１７）で、調整セパレータ軸の捩れを保護して、更に六角ナット（３１）を強く回して締め付けると、貫通孔（１０）内で、更に斜面部（１５）と突起（１６）で、調整セパレータ軸（６１）の側面を強く押し付けるから、基本セパレータ軸（５１）と調整セパレータ軸（６１）が、Ｕ字型壁（７）と締付軸移動部材（１１）の斜面部（１５）と突起（１６）に強く挟まれて、双方のセパレータ軸の側面同士が強く密着してセパレータ軸方向の移動が硬く固定されて、双方のセパレータ軸も一つに強く固定したところが特徴とする、セパレータ軸を一つに固定する装置のセパレータ接続金具。
【産業所の利用可能性】
【００２０】  本発明のセパレータ接続金具は、殆ど機械加工であるから、製品も一定化し、単価も安価されて、製品の効果は、従来のセパレータ接続金具に比較すると、どの金具よりも、本発明のセパレータ接続金具の方が、セパレータを接続する時間が短くて、接続されたセパレータの総体の長さを測っても正確であり、接続されたセパレータに対しても、十分な強度が得られて、セパレータの接続部分の伸びが起きないから、産業上に於いても、十分な利用価値のあるセパレータ接続金具である。
【符号の説明】
【００２１】（０）は、開口部。（１）は、セパレータ接続金具本体。（２）は、凹凸幅止め固定部材。（３）は、上穴。（４）は、下穴。（５）は、固定部。（６）は、雌ネジ部。（７）は、Ｕ字型壁。（８）は、電気溶接の固定部分。（９）は、凹。（１０）は、貫通孔。（１１）は、締付軸移動部材。（１２）は、雄ネジ部。（１３）は、窪みの貫通孔。（１５）は、斜面部。（１６）は、突起。（１７）は、捻れ止め。（２１）は、座金。（３１）は、六角ナット。（３２）は、雌ネジ部。（４０）は、貫通孔筒。（５１）は、調整セパレータ軸。（５２）は、雄ネジ部。（５３）は、ストッパ。（５４）は、ネック。（６１）は、調整セパレータ軸。
【図１】
2012077596.tif 000003
【図２】
2012077596.tif 000004
【図３】
2012077596.tif 000005
【図４】
2012077596.tif 000006
【図５】
2012077596.tif 000007
【図６】
2012077596.tif 000008
【図７】
2012077596.tif 000009
【図８】
2012077596.tif 000010
【図９】
2012077596.tif 000011
【図１０】
2012077596.tif 000012
【図１１】
2012077596.tif 000013
【図１２】
2012077596.tif 000014